(57)【要約】【課題】  ダウンリンク情報の良否を車載機で判定できるようにして、ドライバがメンテナンスの要否を判断することができる路車間通信システムを提供する。【解決手段】  本発明の路車間通信システムは、道路Ｒを走行する車両Ｃの車載機２と、道路Ｒの所定範囲にダウンリンク領域ＤＡが設定された投受光器８を有する光ビーコン４とを備えており、車載機２と光ビーコン４の投受光器８との間で光信号による双方向通信を行う。光ビーコン４は、ダウンリンク情報３０を構成する最小フレーム３１に、特定の車両Ｃに対する車両ＩＤ情報を送出し始めてからの通算フレーム数ｎを格納する通信制御部７を有する。車載機２は、最小フレーム３１に含まれている通算フレーム数ｎに基づいてフレーム受信率ｒを算出し、路車間通信の通信状態の良否を判定する判定部２３を有する。【選択図】      図５
2008090603.tif 000002
【特許請求の範囲】
【請求項１】
道路を走行する車両の車載機と、前記道路の所定範囲にダウンリンク領域が設定された投受光器を有する光ビーコンとを備え、前記車載機と前記光ビーコンの投受光器との間で光信号による双方向通信を行う路車間通信システムであって、
前記光ビーコンは、ダウンリンク情報を構成する最小フレームに、特定の車両に対する車両ＩＤ情報を送出し始めてからの通算フレーム数を格納する通信制御部を有しており、
前記車載機は、前記最小フレームに含まれている通算フレーム数に基づいてフレーム受信率を算出し、路車間通信の通信状態の良否を判定する判定部を有していることを特徴とする路車間通信システム。
【請求項２】
道路を走行する車両の車載機と、前記道路の所定範囲にダウンリンク領域が設定された光ビーコンの投受光器との間で光信号による双方向通信を行う路車間通信方法であって、
ダウンリンク情報を構成する最小フレームに、特定の車両に対する車両ＩＤ情報を送出し始めてからの通算フレーム数を格納して当該ダウンリンク情報を前記車載機に送信することを特徴とする路車間通信方法。
【請求項３】
道路の所定範囲にダウンリンク領域が設定された投受光器を有する光ビーコンであって、前記投受光器と車両の車載機との間で光信号による双方向通信を行う、路車間通信に使用する光ビーコンにおいて、
ダウンリンク情報を構成する最小フレームに対して、特定の車両に対する車両ＩＤ情報を送出し始めてからの通算フレーム数を格納する通信制御部を有していることを特徴とする光ビーコン。
【請求項４】
道路を走行する車両の車載機であって、前記道路の所定範囲にダウンリンク領域が設定された光ビーコンの投受光器との間で光信号による双方向通信を行う、路車間通信に使用する車載機において、
ダウンリンク情報を構成する最小フレームに含まれている通算フレーム数に基づいてフレーム受信率を算出し、路車間通信の通信状態の良否を判定する判定部を有していることを特徴とする車載機。
【請求項５】
前記車載機の判定部が判定した通信状態の異常をドライバに報知する出力部を備えている請求項４に記載の車載機。
【請求項６】
受信したダウンリンク情報に含まれる支援情報に基づいてドライバに対する安全運転支援の制御を行う支援制御部と、通信状態が異常であると前記判定部が判定した場合に前記支援制御部による安全運転支援を停止させる停止部とを備えている請求項４に記載の車載機。
【請求項７】
前記停止部が作動して安全運転支援が停止したことをドライバに報知する出力部を備えている請求項６に記載の車載機。
【請求項８】
車体と、この車体の駆動及び制動を制御する制御装置と、前記車体に搭載された請求項４〜７のいずれか１項に記載の車載機とを備えていることを特徴とする車両。
【発明の詳細な説明】
【技術分野】
【０００１】
本発明は、路側に設置した光ビーコンと車両に搭載された車載機との間で光信号による双方向通信を行う、路車間通信システム及び方法とこれに用いる光ビーコン、車載機及び車両に関するものである。
【背景技術】
【０００２】
路車間通信システムを利用した交通情報サービスとして、光ビーコン、電波ビーコン又はＦＭ多重放送を用いたいわゆるＶＩＣＳ（Vehicle Information and Communication System）が既に展開されている。このうち、光ビーコンは近赤外線を通信媒体とした光通信を採用しており、車載機との双方通信が可能となっている。
具体的には、車両の保持するビーコン間の旅行時間情報等を含むアップリンク情報が車載機からインフラ側の光ビーコンに送信され、逆に、渋滞情報、区間旅行時間情報、事象規制情報及び車線通知情報等を含むダウンリンク情報が光ビーコンから車載機に送信されるようになっている（例えば、特許文献１参照）。
【０００３】
上記光ビーコンは、車載機との間で双方向通信を行う投受光器（ビーコンヘッド）を備えており、この投受光器は、ダウンリンク情報を送出する発光ダイオード（ＬＥＤ）と、車載機からのアップリンク情報を受信するフォトセンサとを備えている。
他方、上記車載機も、光ビーコンの投受光器との間で双方向通信を行うために、ＬＥＤとフォトセンサを有する投受光器（車載ヘッド）を備えている。
【特許文献１】特開２００５−２６８９２５号公報
【発明の開示】
【発明が解決しようとする課題】
【０００４】
上記光ビーコンを用いた路車間通信システムにおいて、車載機が光ビーコンからのダウンリンク情報を適切に受信できず、所定のサービスを享受できないことがある。
その原因としては、光ビーコンの投受光器のＬＥＤの経年劣化によりその光量が低下した場合、光ビーコンの投受光器の発光パネルが汚れて光の透過率が低下した場合、車載機側の投受光器のフォトセンサの経年劣化によりその受光感度が低下した場合、及び、車両のフロントガラスの汚れや周辺環境（降雨や霧等）によって車載機の投受光器の手前で信号が反射される場合等が考えられる。
【０００５】
しかし、現状の車載機では、光ビーコンからのダウンリンク情報についての受信エラーレートを特に把握しておらず、光ビーコンとの路車間通信が正常か否かを自己判断する機能を備えていない。このため、従来では、光ビーコンからのダウンリンク情報を何らかの原因で適切に受信していない場合でも、ドライバがそれに気付かないまま適切な交通情報サービスが得られているものとして、車両走行を継続している恐れがある。
【０００６】
一方、光ビーコンからのダウンリンク情報として信号情報や停止線までの距離情報が含まれており、この情報を利用して車両のブレーキ制御や減速指示等を行う安全運転支援システムが提案されている（例えば、特願２００６−１２１６９２号、特願２００６−１２１７００号）。
かかる安全運転支援のための情報をダウンリンク情報が含んでいる場合には、適切なダウンリンク情報が受信されていないことをドライバが気付かずに車両走行を継続すると、不完全な状態で安全運転支援システムが続行されることになり、却って危険となる可能性もある。
【０００７】
本発明は、このような実情に鑑み、ダウンリンク情報の良否を車載機で判定できるようにして、ドライバがメンテナンスの要否を判断することができる路車間通信システム及び方法とこれに用いる光ビーコン、車載機及び車両を提供することを目的とする。
【課題を解決するための手段】
【０００８】
本発明の路車間通信システムは、道路を走行する車両の車載機と、前記道路の所定範囲にダウンリンク領域が設定された投受光器を有する光ビーコンとを備え、前記車載機と前記光ビーコンの投受光器との間で光信号による双方向通信を行う路車間通信システムであって、前記光ビーコンは、ダウンリンク情報を構成する最小フレームに、特定の車両に対する車両ＩＤ情報を送出し始めてからの通算フレーム数を格納する通信制御部を有しており、前記車載機は、前記最小フレームに含まれている通算フレーム数に基づいてフレーム受信率を算出し、路車間通信の通信状態の良否を判定する判定部を有していることを特徴とする。
【０００９】
この路車間通信システムによれば、光ビーコンの通信制御部が、ダウンリンク情報を構成する最小フレームに、特定の車両に対する車両ＩＤ情報を送出し始めてからの通算フレーム数を格納するので、そのダウンリンク情報を受信した車載機は、当該ダウンリンク情報を構成する最小フレームのデータを読み取ることで、車両ＩＤ情報の送出時点からの通算フレーム数を把握することができる。
【００１０】
従って、上記通算フレーム数に基づいてフレーム受信率を算出し、路車間通信の通信状態の良否を判定する判定部を車載機に設けるようにすれば、ダウンリンク情報の不良を自動的に検出することができる。
そして、当該車載機に、前記判定部が判定した通信状態の異常をドライバに報知する出力部を設けることにより、ドライバがメンテナンスの要否を判断できるようになる。
【００１１】
なお、上記出力部としては、通信状態の異常をドライバに視覚で注意喚起するディスプレイ装置や、その異常を音声で注意喚起するスピーカ等を採用することができる。
また、上記判定部を有する車載機が、車載機が受信したダウンリンク情報に含まれる支援情報に基づいてドライバに対する安全運転支援の制御を行う支援制御部を備えている場合には、通信状態が異常であると前記車載機の判定部が判定した場合に前記支援制御部による安全運転支援を停止させる停止部を設けることが好ましい。
【００１２】
この停止部を有する車載機によれば、路車間通信の通信状態が異常である場合には停止部が安全運転支援を停止させるので、路車間通信が不完全な状態で安全運転支援システムが続行されるのを未然に防止することができる。
なお、この場合にも、停止部が作動して安全運転支援が停止したことをドライバに報知する出力部を設けるようにすれば、ドライバがメンテナンスの要否を即座に判断することができる。
【発明の効果】
【００１３】
以上の通り、本発明によれば、光ビーコンのダウンリンク情報を構成する最小フレームに通算フレーム数が含まれているので、この通算フレーム数を、ダウンリンク情報の良否を車載機で判定するためのデータとして利用することができる。このため、当該ダウンリンク情報の良否判定によって判明した通信状態の異常をドライバに報知することにより、ドライバがメンテナンスの良否を判断することができる。
【発明を実施するための最良の形態】
【００１４】
以下、図面を参照しつつ、本発明の実施形態を説明する。
〔システムの全体構成〕
図１は、本発明の光ビーコンを含む路車間通信システムの全体構成を示すブロック図である。
図１に示すように、この路車間通信システムは、インフラ側の交通管制システム１と、道路Ｒを走行する各車両Ｃに搭載された車載機２とから構成されている。交通管制システム１は、管制室に設けられた中央装置３と、道路Ｒの各所に多数設置された光ビーコン（光学式車両感知器）４とから構成されており、光ビーコン４は、近赤外線を通信媒体とした光通信によって車載機２との間で双方向通信を行う。なお、中央装置３は交通管制室に設けられている。
【００１５】
〔光ビーコンの構成〕
光ビーコン４は、電話回線等の通信回線５を介して中央装置３と接続された通信インタフェースである通信部６と、この通信部６が接続されたビーコン制御機７と、この制御機７のセンサ用インタフェースに接続された複数（図例では４つ）の投受光器（ビーコンヘッド）８とを備えている。
各投受光器８は、筐体９の内部に発光ダイオード（ＬＥＤ）１０とフォトセンサ１１を収納して構成されている（図３参照）。このうち、ＬＥＤ１０は、近赤外線よりなるダウンリンク情報を後述する通信領域Ａに発光し、フォトセンサ１１は、車載機２からの近赤外線よりなるアップリンク情報を受光する。
【００１６】
図２は、上記光ビーコン４の平面図である。
図２に示すように、本実施形態の光ビーコン４は、同じ方向の複数（図例では４つ）の車線Ｒ１〜Ｒ４を有する道路Ｒに設置されており、各車線Ｒ１〜Ｒ４に対応して設けられた前記複数の投受光器８と、これらの投受光器８を一括制御する制御部である一台の前記ビーコン制御機７とを備えている。
上記ビーコン制御機７は、ＣＰＵ、メモリ（ＲＡＭ）及び記憶装置（ＲＯＭ）を有するプログラマブルなマイコンよりなり、通信部６による中央装置３との双方向通信と、各投受光器８による車載機２との路車間通信の制御を行う通信制御部として機能する。なお、このビーコン制御機７による路車間通信の内容については後述する。
【００１７】
ビーコン制御機７は、道路脇に立設した支柱１２に設置されており、各投受光器８は、支柱１２から道路Ｒ側に水平に架設した架設バー１３に取り付けられ、道路Ｒの各車線Ｒ１〜Ｒ４の直上に配置されている。
各投受光器８のＬＥＤ１０は、各車線Ｒ１〜Ｒ４の直下よりも上流側に向けて近赤外線を発光しており、これにより、車載機２との間で路車間通信を行うための通信領域Ａが当該投受光器８の上流側（図２の右側）に設定されている。
【００１８】
図３は、光ビーコン４の通信領域Ａを示す側面図である。
図３に示すように、この通信領域Ａは、後述する車載機２の投受光器２０がダウンリンク情報を受信することができるダウンリンク領域（図３において実線のハッチングを設けた領域）ＤＡと、光ビーコン４の投受光器８がアップリンク情報を受信することができるアップリンク領域（図３において破線のハッチングを設けた領域）ＵＡとからなる。
【００１９】
光ビーコン（光学式車両感知器）４の「近赤外線式インタフェース規格」では、アップリンク領域ＵＡは、ダウンリンク領域ＤＡの車両進行方向の上流部分（図３の右側部分）と重複しており、ダウンリンク領域ＤＡとアップリンク領域ＵＡの上流端ｃは互いに一致している。
従って、ダウンリンク領域ＤＡの車両進行方向長さは通信領域Ａ全体の同方向長さと一致する。
【００２０】
また、上記規格では、一般道向けの光ビーコン４の場合で、ダウンリンク領域ＤＡの下流端ａは、投受光器８の直下の１．０〜１．３ｍ上流側に位置し、ダウンリンク領域ＤＡの下流端ａからアップリンク領域ＵＡの下流端ｂまでの距離は２．１ｍと規定され、アップリンク領域ＵＡの下流端ｂから同領域ＵＡの上流端ｃまでの距離は１．６ｍと規定されている。この場合、通信領域Ａの車両進行方向の全長は３．７ｍとなる。
もっとも、各領域ＤＡ，ＵＡの車両進行方向長さは上記各数値に限定されない。また、図３に仮想線で示すように、ダウンリンク領域ＤＡの上流端ｃ’をアップリンク領域の上流端ｃよりも更に上流側（図３の右側）に位置させる場合もある。
【００２１】
〔車載機及び車両の構成〕
図４は、光ビーコン４と通信する前記車載機２と、この車載機２が搭載された車両Ｃの概略構成図である。
図４に示すように、この車両Ｃは、ドライバの搭乗席（図示せず）を有する車体１５と、この車体１５に搭載された前記車載機２と、車両Ｃの各部を統合制御する電子制御装置（ＥＣＵ）１６と、車体１５を駆動するエンジン１７と、車体１５を制動するブレーキ装置１８と、車両Ｃの現時の速度を常時検出している速度検出器２６とを備えている。ＥＣＵ１６は、ドライバのアクセル操作に基づくエンジン１７の駆動制御や、ブレーキ操作に基づく制動制御等、車両Ｃに対する各種の制御を行う。
【００２２】
車載機２は、車載コンピュータ１９と、このコンピュータ１９のセンサ用インタフェースに接続された投受光器（車載ヘッド）２０と、搭乗席のドライバに対するヒューマンインタフェースとしてのディスプレイ２１及びスピーカ装置２２とを備えている。
車載機２の投受光器２０も、光ビーコンの投受光器８と同様に、発光ダイオード（ＬＥＤ）とフォトセンサを備えている（図示せず）。このうち、ＬＥＤは、近赤外線よりなるアップリンク情報を発光し、フォトセンサは、通信領域Ａに発光された近赤外線よりなるダウンリンク情報を受光する。
【００２３】
車載コンピュータ１９は、ＣＰＵ、メモリ（ＲＡＭ）及び記憶装置（ＲＯＭ）を有するプログラマブルなマイコンよりなり、投受光器２０による光ビーコン４との路車間通信の制御処理を行う。
また、車載コンピュータ１９は、所定の各機能を実行するプログラムを記憶装置に格納しており、このプログラムが実行する機能部として判定部２３、支援制御部２４及び停止部２５を備えている。
【００２４】
〔車載コンピュータの処理内容〕
上記判定部２３は、後述するダウンリンク情報３０の最小フレーム３１の通算フレーム数ｎに基づいて受信率ｒを算出する。
この受信率ｒは、受信できた最小フレーム３１のフレーム数をｎ１、通算フレーム数をｎとすると、ｒ＝ｎ１／ｎで算出される。判定部２３は、上記受信率ｒを予め設定した所定の閾値と比較し、その受信率ｒが閾値よりも低い場合には、路車間通信の通信状態が不良（異常）であると判定し、閾値以上の場合には、路車間通信の通信状態が良好であると判定する。
【００２５】
車載コンピュータ１９は、通信状態が異常であると当該判定部２３が判定すると、その旨の注意喚起表示をディスプレイ２１に表示させたり、或いは、その旨の音声出力をスピーカ装置２２から発声させたりして、ドライバに報知する。なお、ディスプレイ２１とスピーカ装置２２の双方で、通信状態の異常をドライバに報知することにしてもよい。
支援制御部２４は、ダウンリンク情報に含まれる支援情報に基づいてドライバに対する安全運転支援の制御を行う。この安全運転支援としては、例えば、信号情報や距離情報等の支援情報に基づく車両Ｃの減速制御やドライバへの報知制御が含まれる。
【００２６】
この信号情報は、光ビーコン４の下流側の信号が変わるタイミング情報であり、上記距離情報は、ダウンリンク領域ＤＡから光ビーコン４の下流側の所定位置（例えば、停止線）までの長さ情報である。
これらの信号情報及び距離情報がダウンリング情報に含まれている場合、支援制御部２４は、信号が赤に変わる時点で車両Ｃが交差点内に進入していないように、ＥＣＵ１６にブレーキ装置１８を作動させて車両Ｃを減速したり、信号が赤に変わることを前記ディスプレイ２１やスピーカ装置２２によってドライバに報知する。
【００２７】
なお、本出願人が既に提案した特願２００６−１２１６９２号には、通信領域Ａを通常よりも狭めることで距離情報の精度を向上することが記載され、特願２００６−１２１７００号には、距離情報を車載機２側で補正することで当該距離情報の精度を向上することが記載されている。
本実施形態の支援制御部２４にもこれらの技術を適用して距離情報を高精度化すれば、車両Ｃを所定位置で正確に停止させることができる。
【００２８】
車載コンピュータ１９の停止部２５は、通信状態が異常であると前記判定部２３が判定した場合に、支援制御部２４による安全運転支援を停止させるものである。また、車載コンピュータ１９は、この停止部２５が作動して安全運転支援が停止されると、その旨の注意喚起表示をディスプレイ３０に表示させたり、或いは、その旨の音声出力をスピーカ装置２２から発声させたりして、ドライバに報知する。なお、ディスプレイ２１とスピーカ装置２２の双方で、安全運転支援の停止をドライバに報知することにしてもよい。
【００２９】
ディスプレイ２１は、ナビゲーション装置やテレビジョン装置の画像表示部を構成する車載ディスプレイや、車体１５のフロントガラス面に図形を架空表示するヘッドアップディスプレイ等よりなる。また、スピーカ装置２２は、搭乗席の車体１５のフロントパネルやドア等に設けられたスピーカよりなる。
これらのディスプレイ２１及びスピーカ装置２２は、通信状態の異常やそれに伴う安全運転支援の停止をドライバに報知する出力部として機能する。
【００３０】
〔路車間通信〕
図５は、通信領域Ａにおいて光ビーコン４の投受光器８と車載機２の投受光器２０との間で行われる双方向での路車間通信の手順を示している。以下、図５を参照しつつ、この路車間通信の内容を説明する。
まず、光ビーコン４のビーコン制御機７は、各車線Ｒ１〜Ｒ４に対応する各投受光器８から、ダウンリンクの切り替え前の第一情報として、車線通知情報を含む第一のダウンリンク情報２８を、各車線Ｒ１〜Ｒ４のダウンリンク領域ＤＡに所定の送信周期で常に送信し続けている（図５のＦ１）。なお、この段階では、車線通知情報には未だ車両ＩＤは格納されていない。
【００３１】
車載機２を搭載した車両Ｃがダウンリンク領域ＤＡの上流側部分に進入すると、車載機２の投受光器２０が車線通知情報（車両ＩＤ無し）を含む第一のダウンリンク情報２８を受信する。このさい、車載機２の車載コンピュータ１９は、当該車両Ｃが通信領域Ａ内に存在していることを認識する。その後、車載コンピュータ１９はアップリンク情報２９の送信を開始し（図５のＦ２）、このアップリンク情報２９を光ビーコン４の投受光器８に対して所定の送信周期で送信する（図５のＦ３）。
【００３２】
車載コンピュータ１９は、アップリンク情報２９の送信をアップリンク領域ＵＡ（図３参照）において行い、そのアップリンク情報２９に当該車両Ｃに特定の車両ＩＤを格納して当該アップリンク情報２９を送信する。
なお、車載コンピュータ１９は、ビーコン間の旅行時間情報を有している場合には、この情報もアップリング情報２９に含ませる。また、車載コンピュータ１９は、光ビーコン４のビーコン制御機７がダウンリンクの切り替えを行ったことを認識するまで、当該アップリンク情報２９を送信し続ける。
【００３３】
一方、光ビーコン４の投受光器８がアップリンク情報２９を受信すると（図５のＦ４）、ビーコン制御機７は、ダウンリンクの切り替え後の第二情報として、上記車両ＩＤ情報を有する車載機２のための車線通知情報を含む第二のダウンリンク情報３０の送信を開始し（図５のＦ５）、このダウンリンク情報３０の送信を所定時間内において可能な限り繰り返す（図５のＦ６）。
上記車線通知情報には、車線Ｒ１〜Ｒ４ごとに車両ＩＤを格納するフィールドがあり、各車両ＩＤに対して車線番号を付与することができる。このため、異なる車線Ｒ１〜Ｒ４を走行する各車両Ｃの車載コンピュータ１９は、その格納フィールド内のいずれに自車両の車両ＩＤが含まれるかを判断することにより、自車両がどの車線Ｒ１〜Ｒ４を走行しているかを認識できる。
【００３４】
第二のダウンリンク情報３０には、車両ＩＤを含む車線通知情報の他に、渋滞情報、区間旅行時間情報、事象規制情報、及び、ドライバに対する安全運転支援のための前記支援情報等が含まれている。
この支援情報には、光ビーコン４の下流側の信号が変わるタイミング情報である前記信号情報や、ダウンリンク領域ＤＡから光ビーコン４の下流側の所定位置（例えば、停止線）までの長さ情報である距離情報等が含まれる。
【００３５】
図５に示すように、第二のダウンリンク情報３０は、単一又は複数の最小フレーム３１で構成されている。前記「近赤外線式インタフェース規格」によれば、この最小フレーム３１のデータ量は合計１２８バイトと規定され、ヘッダ部３２に５バイト、実データ部３３に１２３バイトが割り当てられている。
そこで、本実施形態では、最小フレーム３１の実データ部３３の中に通算フレーム数ｎの格納部３４（１〜２バイト）を設けている。
【００３６】
この通算フレーム数ｎは、第二のダウンリンク情報３０（各車線Ｒ１〜Ｒ４ごとの車両ＩＤを有する車両通知情報を含む。）の送信開始時点（図５のＴ０）から見て、当該最小フレーム３１が何番目のフレームであるかを示している。光ビーコン４のビーコン制御機７は、この通算フレーム数ｎを各最小フレーム３１の格納部３４に格納して、当該フレーム３１を投受光器８から送出させる。
【００３７】
なお、前記規格によれば、第二のダウンリンク情報３０は、１〜８０個の最小フレーム３１で構成することができ、送信可能時間は２５０ｍｓに設定されている。また、このダウンリンク情報３０は送信すべき情報量に対応した任意数の最小フレーム３１で構成され、上記送信可能時間の範囲内で繰り返し送信される。
最小フレーム３１の送信周期は約１ｍｓである。従って、例えば、三つの最小フレーム３１で一つのダウンリンク情報３０を構成する場合には、ダウンリンク情報３０の送信周期は約３ｍｓになるので、当該ダウンリンク情報３０は所定の送信可能時間（２５０ｍ）の間に約８０回繰り返して送信されることになる。
【００３８】
車載機２の車載コンピュータ１９は、第二のダウンリンク情報３０を受信した時点（図６のＦ７）で光ビーコン４でのダウンリンクの切り替えを認識し、この時点でアップリンク情報２９の送信を停止する。
また、前記した通り、車載コンピュータ１９は、第二のダウンリンク情報３０を受信すると、判定部２３において、当該ダウンリンク情報３０の最小フレーム３１に含まれている通算フレーム数ｎに基づいて前記フレーム受信率ｒ（＝ｎ１／ｎ）を算出し、路車間通信の通信状態の良否を判定する（図５のＦ８）。
【００３９】
このように、本実施形態の光ビーコン４によれば、ビーコン制御部７が、第二のダウンリンク情報３０を構成する最小フレーム３１に、特定の車両Ｃに対する車両ＩＤ情報を送出し始めてからの通算フレーム数ｎを格納しているので、そのダウンリンク情報３０を受信した車載機２の車載コンピュータ１９において、当該ダウンリンク情報３０を構成する最小フレーム３１のデータを読み取ることで、車両ＩＤ情報の送出時点からの通算フレーム数ｎを把握することができる。
【００４０】
また、本実施形態の車載機２によれば、車両コンピュータ１９の判定部２３が、上記通算フレーム数ｎに基づいてフレーム受信率ｒを算出し、路車間通信の通信状態の良否を判定するので、ダウンリンク情報３０の不良を自動的に検出することができる。
また、本実施形態の車載機２によれば、上記判定部２３が判定した通信状態の異常をドライバに報知するディスプレイ２１やスピーカ装置２２を備えているので、車両Ｃに搭乗したドライバがメンテナンスの要否を容易に判断することができる。
【００４１】
更に、本実施形態の車載機２によれば、第二のダウンリンク情報３０に含まれる支援情報に基づいてドライバに対する安全運転支援の制御を行う支援制御部２４と、通信状態が異常であると判定部２３が判定した場合に支援制御部２４による安全運転支援を停止させる停止部２５を備えているので、路車間通信が不完全な状態で安全運転支援システムが続行されるのを未然に防止することができる。
【００４２】
本発明は、上記実施形態に限定されるものではない。
例えば、車載コンピュータ１９の各機能部２３，２４，２５は、車両Ｃの電子制御装置（ＥＣＵ）１６に組み込むこともできる。
また、規格外となるが、通算フレーム数ｎの格納部３４は、最小フレーム３１の実データ部３３以外の部分に設けることもできる。
【００４３】
更に、上記実施形態では、各最小フレーム３１の全てに通算フレーム数ｎを格納しているが、すべての最小フレーム３１に格納する必要はなく、複数個の最小フレーム３１ごとに通算フレーム数ｎを格納することもできる。
例えば、ビーコン制御機が最小フレーム３１の１０フレームごとに通算フレーム数ｎを格納している場合、車載機２の投受光器２０が通算フレーム数ｎｓ＝１０を格納した最小フレーム３１を受信したあと、通算フレーム数ｎｅ＝２０を受信するまでに受信できたフレーム数ｎ１を車載コンピュータ１９でカウントしておけば、ｒ＝ｎ１／（ｎｅ−ｎｓ）の式で受信率ｒを算出することができる。
【図面の簡単な説明】
【００４４】
【図１】本発明の路車間通信システムの全体構成を示すブロック図である。
【図２】本発明の光ビーコンの平面図である。
【図３】上記光ビーコンの通信領域を示す側面図である。
【図４】光ビーコンと通信する車載機と、この車載機が搭載された車両の概略構成図である。
【図５】通信領域で行われる路車間通信の手順とデータ内容を示す概念図である。
【符号の説明】
【００４５】
１      交通管制システム
２      車載機
４      光ビーコン
７      ビーコン制御機（通信制御部）
８      投受光器（ビーコン側）
１５      車体
１６      電子制御装置（ＥＣＵ）
１９      車載コンピュータ
２０      投受光器（車載機側）
２１      ディスプレイ（出力部）
２２      スピーカ装置（出力部）
２３      判定部
２４      支援制御部
２５      停止部
２８      第一のダウンリンク情報
２９      アップリンク情報
３０      第二のダウンリンク情報
３１      最小フレーム
Ａ      通信領域
Ｃ      車両
Ｒ      道路
ＤＡ    ダウンリンク領域
ＵＡ    アップリンク領域
【図１】
2008090603.tif 000003
【図２】
2008090603.tif 000004
【図３】
2008090603.tif 000005
【図４】
2008090603.tif 000006
【図５】
2008090603.tif 000007